(57)【要約】【課題】  おむつを使用している人から離れた位置にいる人におむつが濡れたことを報知することができ、かつ、おむつ濡れ感知部の構成が簡単であるおむつ濡れ感知報知システムを提供すること。【解決手段】  本発明は、おむつ濡れ感知部１１０と、おむつ濡れ感知部１１０に接続されている送信装置１３０と、送信装置１３０からの信号を受信する受信装置１４０と、を具備する。おむつ濡れ感知部１１０は、硬質の絶縁性袋体１１１と、伸縮可能な絶縁性仕切りフイルム１１２と、吸水膨張部材１１３と、尿通過孔１１４１を規定する尿通過内周面１１４と、スイッチ端子片１１５、１１６と、を具備している。送信装置１３０は、スイッチ端子片１１５，１１６が接触された時におむつ濡れを示すおむつ濡れ信号を送信する手段を具備する。受信装置１４０は、前記おむつ濡れ信号を受信して報知する手段を具備する。【選択図】  図１
2006068466.tif 000002
【特許請求の範囲】
【請求項１】
おむつの下内部に配置されおむつ濡れを検出するおむつ濡れ感知部と、前記おむつ濡れ感知部に接続されている送信装置と、前記送信装置からの信号を受信する受信装置と、を具備し、
前記おむつ濡れ感知部は、
内部空間を規定する内周面を有する硬質の絶縁性袋体と、
前記内部空間を仕切って第１の内部空間と第２の内部空間とする伸縮可能な絶縁性仕切りフイルムと、
前記第１の内部空間に収容され水を吸水して膨張する吸水膨張部材と、
前記絶縁性袋体の壁部に形成され前記第１の内部空間と前記袋体の外部とを連通する尿通過孔を規定する尿通過内周面と、
前記第２の内部空間に配置され前記吸水膨張部材が水を吸水して膨張した時に前記絶縁性仕切りフイルムに押されて接触される２つのスイッチ端子片と、を具備し、
前記送信装置は、
前記２つのスイッチ端子片に接続され前記２つのスイッチ端子片が接触された時におむつ濡れを示す前記おむつ濡れ信号を送信する手段を具備し、
前記受信装置は、
前記送信装置からの前記おむつ濡れ信号を受信して報知する手段を具備することを特徴とするおむつ濡れ感知報知システム。
【請求項２】
おむつの下内部に配置されおむつ濡れを検出する複数のおむつ濡れ感知部と、前記複数のおむつ濡れ感知部の各々に接続されている複数の送信装置と、前記複数の送信装置からの信号を受信する複数の受信装置と、前記複数の受信装置の各々と複数の特定の入との対応を示す複数の表示器具と、を具備し、
前記おむつ濡れ感知部は、
内部空間を規定する内周面を有する硬質の絶縁性袋体と、
前記内部空間を仕切って第１の内部空間と第２の内部空間とする伸縮可能な絶縁性仕切りフイルムと、
前記第１の内部空間に収容され水を吸水して膨張する吸水膨張部材と、
前記絶縁性袋体の壁部に形成され前記第１の内部空間と前記袋体の外部とを連通する尿通過孔を規定する尿通過内周面と、
前記第２の内部空間に配置され前記吸水膨張部材が水を吸水して膨張した時に前記絶縁性仕切りフイルムに押されて接触される２つのスイッチ端子片と、を具備し、
前記複数の送信装置の各々は、
前記２つのスイッチ端子片に接続され前記２つのスイッチ端子片が接触された時におむつ濡れを示す前記おむつ濡れ信号及び自己を識別する装置識別信号を含むおむつ濡れ通知信号を送信する手段を具備し、
前記複数の受信装置の各々は、
前記送信装置からの前記おむつ濡れ通知信号を受信して当該おむつ濡れ通知信号に含まれる前記装置識別信号が自己の装置識別信号と同じである時に前記おむつ濡れ信号を光学的に報知する手段を具備し、
前記複数の表示器具の各々は、前記複数の受信装置の各々を収容し、前記複数の特定の人の各々を示す識別記号を視認できるように表示し、かつ、前記複数の受信装置の各々の前記おむつ濡れ通知信号の光学的な報知を表示することを特徴とするおむつ濡れ感知報知システム。
【発明の詳細な説明】
【技術分野】
【０００１】  本発明は、乳児及び介護を必要とする人の多くが使用するおむつが尿などで濡れたことを感知して報知するおむつ濡れ感知報知システムに関する。
【背景技術】
【０００２】  従来のおむつ濡れ感知報知システムとして、特許文献１に記載されたものがある。この従来のおむつ濡れ感知報知システムは、絶縁体の表面に少なくとも一対の導電性パターンが形成され、おむつの中に装着することができ、おむつの中が濡れたとき電気抵抗が変化するセンサー部と、上記センサー部と導体で接続されている感知器本体とから成り、センサー部の電気抵抗の変化をおむつの中が濡れたことを示す電気信号に変換する変換回路と、おむつが濡れたとき上記変換回路からの信号に基づき発光する少なくとも２つの発光部を上記感知器本体が備え、上記発光部が発光していることを、上記感知器本体お少なくとも２つの側から視認できるように、上記発光部が配置されているものである。
【特許文献１】特開婦平１１−１７８８５５号公報
【発明の開示】
【発明が解決しようとする課題】
【０００３】  しかしながら、従来のおむつ濡れ感知報知システムにおいては、おむつを使用している人から離れた位置にいる人におむつが濡れたことを報知することができないという問題がある。また、従来のおむつ濡れ感知報知システムにおいては、センサー部（おむつ濡れ感知部）の構成が精密であるという問題がある。【０００４】  本発明の目的は、おむつを使用している人から離れた位置にいる人におむつが濡れたことを報知することができ、かつ、おむつ濡れ感知部の構成が簡単であるおむつ濡れ感知報知システムを提供することである。
【課題を解決するための手段】
【０００５】  本発明の第１のものは、おむつの下内部に配置されおむつ濡れを検出するおむつ濡れ感知部と、前記おむつ濡れ感知部に接続されている送信装置と、前記送信装置からの信号を受信する受信装置と、を具備し、前記おむつ濡れ感知部が、内部空間を規定する内周面を有する硬質の絶縁性袋体と、前記内部空間を仕切って第１の内部空間と第２の内部空間とする伸縮可能な絶縁性仕切りフイルムと、前記第１の内部空間に収容され水を吸水して膨張する吸水膨張部材と、前記第１の内部空間と前記袋体の外部とを連通する尿通過孔を規定する尿通過内周面と、前記第２の内部空間に配置され前記吸水膨張部材が水を吸水して膨張した時に前記絶縁性仕切りフイルムに押されて接触される２つのスイッチ端子片と、を具備し、前記送信装置は、前記２つのスイッチ端子片に接続され前記２つのスイッチ端子片が接触された時におむつ濡れを示す前記おむつ濡れ信号を送信する手段を具備し、前記受信装置は、前記送信装置からの前記おむつ濡れ信号を受信して報知する手段を具備する構成を採る。【０００６】  本発明の第２のものは、おむつの下内部に配置されおむつ濡れを検出する複数のおむつ濡れ感知部と、前記複数のおむつ濡れ感知部の各々に接続されている複数の送信装置と、前記複数の送信装置からの信号を受信する複数の受信装置と、前記複数の受信装置の各々と複数の特定の人との対応を示す複数の表示器具と、を具備し、前記おむつ濡れ感知部は、内部空間を規定する内周面を有する硬質の絶縁性袋体と、前記内部空間を仕切って第１の内部空間と第２の内部空間とする伸縮可能な絶縁性仕切りフイルムと、前記第１の内部空間に収容され水を吸水して膨張する吸水膨張部材と、前記絶縁性袋体の壁部に形成され前記第１の内部空間と前記袋体の外部とを連通する尿通過孔を規定する尿通過内周面と、
前記第２の内部空間に配置され前記吸水膨張部材が水を吸水して膨張した時に前記絶縁性仕切りフイルムに押されて接触される２つのスイッチ端子片と、を具備し、前記複数の送信装置の各々は、前記２つのスイッチ端子片に接続され前記２つのスイッチ端子片が接触された時におむつ濡れを示す前記おむつ濡れ信号及び自己を識別する装置識別信号を含むおむつ濡れ通知信号を送信する手段を具備し、前記複数の受信装置の各々は、前記送信装置からの前記おむつ濡れ通知信号を受信して当該おむつ濡れ通知信号に含まれる前記装置識別信号が自己の装置識別信号と同じである時に前記おむつ濡れ信号を光学的に報知する手段を具備し、前記複数の表示器具の各々は、前記複数の受信装置の各々を収容し、前記複数の特定の人の各々を示す識別記号を視認できるように表示し、かつ、前記複数の受信装置の各々の前記おむつ濡れ通知信号の光学的な報知を表示する構成を採る。
【発明の効果】
【０００７】  本発明によれば、おむつ濡れを検出するおむつ濡れ感知部と、前記おむつ濡れ感知部に接続されている送信装置と、前記送信装置からの信号を受信する受信装置と、を具備し、前記送信装置がおむつ濡れを示す前記おむつ濡れ信号を送信する手段を具備し、前記受信装置が前記送信装置からの前記おむつ濡れ信号を受信して報知する手段を具備するため、おむつを使用している人から離れた位置にいる人におむつが濡れたことを報知することができる。【０００８】  また、本発明によれば、おむつ濡れ感知部は、吸水膨張部材が尿の水分を吸収して膨張して絶縁性仕切りフイルムを変形させて２つのスイッチ端子片を接触させることによりおむつの濡れを感知するため、おむつ濡れ感知部の構成が簡単である。
【発明を実施するための最良の形態】
【０００９】  次に、本発明の実施の形態について、図面を参照して詳細に説明する。【００１０】    （実施の形態１）
図１は、本発明の実施の形態１に係るおむつ濡れ感知報知システムを示す図である。【００１１】  図１に示すように、本発明の実施の形態１に係るおむつ濡れ感知報知システム１００は、おむつ濡れ感知部１１０と、おむつ濡れ感知部１１０に着脱可能な導線１２０を介して接続されている送信装置１３０と、送信装置１３０からの信号を受信する受信装置１４０と、を具備している。【００１２】  おむつ濡れ感知部１１０は、おむつ１５０の下内部に配置される。送信装置１２０は、おむつ１５０の上端部に装着される。【００１３】  おむつ濡れ感知部１１０は、おむつ濡れを検出する。送信装置１３０は、おむつ濡れ感知部１１０がおむつ濡れを感知した時におむつ濡れを示すおむつ濡れ報知信号を送信する。受信装置１４０は、送信装置１３０からのおむつ濡れ報知信号を受信しておむつの濡れを報知する。【００１４】  図２は、本発明の実施の形態１に係るおむつ濡れ感知報知システム１００のおむつ濡れ感知部１１０におけるおむつ濡れの不感知時の状態を示す拡大断面図である。図３は、本発明の実施の形態１に係るおむつ濡れ感知報知システム１００のおむつ濡れ感知部１１０におけるおむつ濡れの感知時の状態を示す拡大断面図である。【００１５】  図２に示すように、おむつ濡れ感知部１１０は、硬質の絶縁性袋体１１１、伸縮可能な絶縁性仕切りフイルム１１２、吸水膨張部材１１３、複数の尿通過内周面１１４及び２つのスイッチ端子片１１５、１１６を具備している。【００１６】  絶縁性袋体１１１は、縦断面がほぼ楕円状である袋体を形成する２つの半袋体１１１１、１１１２を有している。絶縁性仕切りフイルム１１２は、２つの半袋体１１１１、１１１２の開口部の間に配置されている。絶縁性仕切りフイルム１１２と２つの半袋体１１１１、１１１２の開口部とは、接着材１１７により接着されている。２つの半袋体１１１１、１１１２の内周面１１１３は、内部空間を規定している。絶縁性仕切りフイルム１１２は、前記内部空間を仕切って第１の内部空間１１１４と第２の内部空間１１１５としている。【００１７】  吸水膨張部材１１３は、第１の内部空間１１１４に収容され尿の水を吸水して膨張するものである。吸水膨張部材１１３は、例えば、吸水性ポリマーで構成される。【００１８】  絶縁性袋体１１１の半袋体１１１１は、複数の尿通過内周面１１４を有している。複数の尿通過内周面１１４は、絶縁性袋体１１１の半袋体１１１１の壁部に形成され、かつ、第１の内部空間１１１４と絶縁性袋体１１１の外部とを連通する尿通過孔１１４１を規定する。尿通過孔１１４１は、おむつを使用している人の尿を第１の内部空間１１１４に通過させるためのものである。【００１９】  ２つのスイッチ端子片１１５、１１６は、先端部が絶縁性袋体１１１の第２の内部空間１１１５に離隔されて配置されている。２つのスイッチ端子片１１５、１１６の後端部は、絶縁性袋体１１１の半袋体１１１２の貫通口を介して半袋体１１１２の外部に突出している。２つのスイッチ端子片１１５、１１６の後端部は、導線１２０により送信装置１３０に接続されている（図１）。２つのスイッチ端子片１１５、１１６の後端部及び導線１２０は、絶縁性膜で被覆されている。【００２０】  おむつを使用している人が尿をした時に、尿が尿通過孔１１４１を通過して第１の内部空間１１１４に入り、この尿の水を吸水膨張部材１１３が吸水して膨張する。【００２１】  吸水膨張部材１１３が膨張するとこの吸水膨張部材１１３に押されて絶縁性仕切りフイルム１１２が変形される。絶縁性仕切りフイルム１１２が一定以上変形されると、図３に示すように、スイッチ端子片１１５がスイッチ端子片１１６の方へ押されて２つのスイッチ端子片１１５、１１６が接触される。【００２２】  次に、本発明の実施の形態１に係るおむつ濡れ感知報知システム１００の送信装置１３０及び受信装置１４０について、図面を参照して詳細に説明する。【００２３】  図４は、本発明の実施の形態１に係るおむつ濡れ感知報知システム１００の送信装置１３０及び受信装置１４０の構成を示すブロック図である。【００２４】  図４に示すように、送信装置１３０は、感知信号生成装置１３１、タイマー１３２、変調装置１３３、装置識別信号保持装置１３４、おむつ濡れ信号保持装置１３５、おむつ濡れ通知信号生成装置１３６、無線送信装置１３７及びアンテナ１３８を具備している。【００２５】  感知信号生成装置１３１は、２つのスイッチ端子片１１５、１１６に導線１２０により接続されている。感知信号生成装置１３１は、２つのスイッチ端子片１１５、１１６が接触された時に感知信号を生成してタイマー１３２に与える。タイマー１３２は、感知信号生成装置１３１からの感知信号を受けた時にこの感知信号を所定の時間だけ変調装置１３３に与える。【００２６】  装置識別信号保持装置１３４は、予め自己を識別する装置識別信号を保持している。おむつ濡れ信号保持装置１３５は、予めおむつの濡れを示すおむつ濡れ信号を保持している。おむつ濡れ通知信号生成装置１３６は、おむつ濡れ信号保持装置１３５からのおむつ濡れ信号のヘッドに装置識別信号保持装置１３４からの装置識別信号を付加した識別信号付きのおむつ濡れ信号であるおむつ濡れ通知信号を生成して変調装置１３３に与える。【００２７】  変調装置１３３は、タイマー１３２からの感知信号を受けている前記所定の時間だけおむつ濡れ通知信号を変調して変調おむつ濡れ通知信号を生成して無線送信装置１３７に与える。【００２８】  無線送信装置１３７は、変調装置１３３からの変調おむつ濡れ通知信号を無線送信処理（アップコンバート等の処理）してアンテナ１３８を介して無線おむつ濡れ通知信号として受信装置１４０に送信する。【００２９】  受信装置１４０は、アンテナ１４１、無線受信装置１４２、復調装置１４３、おむつ濡れ信号判定装置１４４、装置識別信号保持装置１４５、報知制御装置１４６、報知装置１４７及びＯＦＦ信号入力装置１４８を具備している。【００３０】  アンテナ１４１は、送信装置１３０から送信された無線おむつ濡れ通知信号を受信しておむつ濡れ信号及び装置識別信号を含むおむつ濡れ受信信号を生成して無線受信装置１４２に与える。無線受信装置１４２は、アンテナ１４１からのおむつ濡れ受信信号を無線受信処理（ダウンコンバート等の処理）して復調装置１４３に与える。【００３１】  復調装置１４３は、無線受信装置１４２からのおむつ濡れ受信信号を復調して復調おむつ濡れ信号を生成しておむつ濡れ信号判定装置１４４に与える。装置識別信号保持装置１４５は、送信装置１３０が保持している装置識別信号と同じ装置識別信号を保持している。【００３２】  おむつ濡れ信号判定装置１４４は、復調装置１４３からの復調おむつ濡れ信号に含まれている装置識別信号と装置識別信号保持装置１４５に保持されている自己の装置識別信号とを比較して一致するか否かを判定する。【００３３】  おむつ濡れ信号判定装置１４４は、復調おむつ濡れ信号に含まれている装置識別信号と装置識別信号保持装置１４５に保持されている自己の装置識別信号とが一致する時にのみ、受信装置１４０に対応している送信装置１３０からのおむつ濡れ信号を受信したことを示すおむつ濡れ受信判定結果を生成して報知制御装置１４６に与える。【００３４】  報知制御装置１４６は、おむつ濡れ信号判定装置１４４からのおむつ濡れ受信判定結果を受けた時に、おむつ濡れ報知信号を生成して報知装置１４７に与えておむつ濡れを報知させる。報知装置１４７は、発光素子を点灯することにより報知する発光装置、振動素子を振動させることにより報知する振動装置、又は、音発生素子に音を発生させる音発生装置を有するように構成されている。【００３５】  ＯＦＦ信号入力装置１４８は、報知装置１４７によっておむつ濡れの報知を受けた人が報知装置１４７をＯＦＦにするＯＦＦ信号を入力するためのものである。ＯＦＦ信号入力装置１４８は、ＯＦＦ信号を報知制御装置１４６に与える。報知制御装置１４６は、ＯＦＦ信号入力装置１４８からのＯＦＦ信号を受けた時に報知装置１４７をＯＦＦにする。【００３６】  なお、受信装置１４０は、図５に示すように、ペンの形状であってもよい。また、受信装置１４０は、図６に示すように、バッチの形状であってよい。また、受信装置１４０は、図７に示すように、ポケベルで構成してもよい。【００３７】  また、本発明の実施の形態１において、送信装置１３０は２つのスイッチ端子片１１５、１１６が接触された時におむつ濡れを示すおむつ濡れ信号として一定以上の送信電力の信号を送信し、かつ、受信装置１４０は前記一定以上の送信電力の信号を受けた時におむつ濡れ信号を受けたものと判定して報知するように構成してもよい。【００３８】  このように、本発明の実施の形態１においては、おむつ濡れを検出するおむつ濡れ感知部１１０と、おむつ濡れ感知部１１０に接続されている送信装置１３０と、送信装置１３０からの信号を受信する受信装置１４０と、を具備し、送信装置１３０がおむつ濡れを示すおむつ濡れ通知信号を送信する手段を具備し、受信装置１４０が送信装置１３０からの前記おむつ濡れ通知信号を受信して報知する手段を具備するため、おむつを使用している人から離れた位置にいる人におむつが濡れたことを報知することができる。【００３９】  また、本発明の実施の形態１においては、おむつ濡れ感知部１１０は、吸水膨張部材１１３が尿の水を吸収して膨張して絶縁性仕切りフイルム１１２を変形させて２つのスイッチ端子片１１５、１１６を接触させることによりおむつ濡れを感知するため、おむつ濡れ感知部１１０の構成が簡単である。
（実施の形態２）
次に、本発明の実施の形態２について、図面を参照して詳細に説明する。【００４０】  図８は、本発明の実施の形態２に係るおむつ濡れ感知報知システムの構成を示す図である。本発明の実施の形態２においては、本発明の実施の形態１と同じ構成要素には同じ参照符号が付されてその説明が省略される。【００４１】  図８に示すように、本発明の実施の形態２に係るおむつ濡れ感知報知システム２００は、複数のおむつ濡れ感知部１１０と、複数のおむつ濡れ感知部１１０の各々に導線１２０を介して接続されている複数の送信装置１３０と、複数の送信装置１３０からの信号を受信する複数の受信装置１４０と、複数の受信装置１４０の各々と複数の特定の人との対応を示す複数の表示器具２０１と、を具備している。このおむつ濡れ感知報知システム２００は、例えば、病院及び介護老人ホーム等で使用されるものである。【００４２】  複数のおむつ濡れ感知部１１０は、複数の特定の人の各々が使用するおむつの下内部に配置される。複数の送信装置１３０の各々は、異なる装置識別信号を保持している。複数の送信装置１３０の各々は、前述のように、２つのスイッチ端子片１１５、１１６が接触された時に無線おむつ濡れ通知信号を送信する。【００４３】  複数の受信装置１４０の各々は、複数の表示器具２０１の各々に収容されている。複数の受信装置１４０の各々は、異なる装置識別信号を保持している。複数の受信装置１４０の各々は、それぞれ対応している複数の送信装置１３０の各々の装置識別信号と同じ装置識別信号を保持している。複数の受信装置１４０の報知装置１４７は、発光素子を点灯することにより報知する発光装置を有している。複数の受信装置１４０の各々は、前述のように、複数の送信装置１３０の各々からの無線おむつ濡れ通知信号を受けておむつ濡れを発光装置を発光させて報知する。【００４４】  複数の表示器具２０１は、光を通す透光性を有している。複数の表示器具２０１は、一個所に配置されている。複数の表示器具の２０１各々は、複数の特定の人の各々を示す識別記号（例えば、氏名）を視認できるように表示し、かつ、複数の受信装置１４０の各々のおむつ濡れ信号の光学的な報知を表示するものである。すなわち、複数の表示器具２０１の各々は、複数の受信装置１４０の各々が無線おむつ濡れ通知信号を受けて発光した時にこの発光した光を通しておむつ濡れを報知する。【００４５】  このように、本発明の実施の形態２においては、本発明の実施の形態１と同じ効果に加えて、複数の表示器具２０１から離れた位置でおむつを使用している複数の人のおむつの濡れを複数の表示器具２０１を見ることにより視認することができる。
【産業上の利用可能性】
【００４６】  本発明は、おむつを使用している人から離れた位置にいる人におむつが濡れたことを報知することができ、かつ、おむつ濡れ感知部の構成が簡単である効果を有し、おむつ濡れ感知報知システムに有用である。
【図面の簡単な説明】
【００４７】
【図１】本発明の実施の形態１に係るおむつ濡れ感知報知システムを示す概略図
【図２】本発明の実施の形態１に係るおむつ濡れ感知報知システムのおむつ濡れ感知部におけるおむつ濡れの不感知時の状態を示す拡大断面図
【図３】本発明の実施の形態１に係るおむつ濡れ感知報知システムのおむつ濡れ感知部におけるおむつ濡れの感知時の状態を示す拡大断面図
【図４】本発明の実施の形態１に係るおむつ濡れ感知報知システムの送信装置及び受信装置の構成を示すブロック
【図５】本発明の実施の形態１に係るおむつ濡れ感知報知システムの受信装置の１例を示す斜視図
【図６】本発明の実施の形態１に係るおむつ濡れ感知報知システムの受信装置の他の例を示す斜視図
【図７】本発明の実施の形態１に係るおむつ濡れ感知報知システムの受信装置のさらに他の例を示す斜視図
【図８】本発明の実施の形態１に係るおむつ濡れ感知報知システムを示す概略図
【符号の説明】
【００４８】  １００、２００  おむつ濡れ感知報知システム
１１０  おむつ濡れ感知部
１３０  送信装置
１４０  受信装置
１５０  おむつ
１１１  絶縁性袋体
１１２  絶縁性仕切りフイルム
１１３  吸水膨張部材
１１４  尿通過内周面
１１５、１１６  スイッチ端子片
２０１  表示器具
【図１】
2006068466.tif 000003
【図２】
2006068466.tif 000004
【図３】
2006068466.tif 000005
【図４】
2006068466.tif 000006
【図５】
2006068466.tif 000007
【図６】
2006068466.tif 000008
【図７】
2006068466.tif 000009
【図８】
2006068466.tif 000010